(57)【特許請求の範囲】
【請求項１】
通信機本体と、該通信機本体を覆うカバーとを備えている通信機であって、
上記通信機本体の外面には、その識別記号が付されており、
上記カバーには、外部から上記識別記号を視認するための切欠き部が設けられ、
上記識別記号は、上記通信機本体の側面に付されており、
上記カバーは、上記通信機本体の側面を覆う筒状の胴部を有し、該胴部には、その軸周りにおける互いに１８０度ずれた位置に、上記カバーを上記通信機本体に取り付けるための２つの取付部が設けられ、
上記切欠き部は、上記胴部においてその軸周りにおける互いに１８０度ずれた位置に２つ設けられ、その一方が上記識別記号を視認するためのものである
ことを特徴とする通信機。
【発明の詳細な説明】
【技術分野】
【０００１】
本願は、通信機に関する。
【背景技術】
【０００２】
例えば特許文献１に開示されているように、プラント等に設置される通信機（フィールド機器）が知られている。この通信機は、通信用の回路基板や該回路基板を駆動するためのバッテリー（充電器）等の通信機構が設けられた本体を備えている。通信機では、例えばセンサ等の検出信号が回路基板によって信号処理され、その処理された信号が外部機器へ送信される。
【先行技術文献】
【特許文献】
【０００３】
【特許文献１】特開２００９−１３３７５５号公報
【発明の概要】
【発明が解決しようとする課題】
【０００４】
ところで、上述したような通信機（特に、屋外に設置される通信機）では、本体を外部との接触から保護する等の目的で、本体を覆うためのカバーが設けられることがある。また、カバーには、通信機の監視や管理を行うために固有の識別記号（ＩＤ等）が付されることがある。しかしながら、このような通信機が多数設置される場合、カバーを取り外して行う点検やメンテナンス時に、誤ってカバーを別の本体に取り付けてしまう（カバーを取り違えてしまう）という人為的ミスを招く虞があった。
【０００５】
本願に開示の技術は、かかる事情に鑑みてなされたものであり、その目的は、通信機本体を覆うカバーを有する通信機において、点検やメンテナンス時にカバーを取り違えるという人為的ミスを排除することにある。
【課題を解決するための手段】
【０００６】
本願に開示の技術は、通信機本体と、該通信機本体を覆うカバーとを備えている通信機を前提としている。そして、上記通信機本体の外面には、その識別記号が付されており、  上記カバーには、外部から上記識別記号を視認するための切欠き部が設けられている。
【発明の効果】
【０００７】
本願の通信機によれば、識別記号を通信機本体に付し、カバーに識別記号を外部から視認するための切欠き部を設けるようにしたため、通信機の監視や管理を行う際に識別記号を容易に視認することができる。そして、上述したように識別記号をカバーではなく通信機本体に設けるため、点検やメンテナンス時にカバーを取り違えるという人為的ミスを排除することができる。つまり、点検等でカバーを着脱しても、識別記号がその対応する通信機以外の通信機に付されるという事態を招く虞がなくなる。
【図面の簡単な説明】
【０００８】
【図１】図１は、実施形態に係るセンサ装置の概略構成を示す正面図である。
【図２】図２は、実施形態に係る通信機の概略構成を示す正面図である。
【図３】図３は、実施形態に係る通信機の概略構成を示す側面図である。
【図４】図４は、実施形態に係る通信機の概略構成を示す底面図である。
【０００９】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１０】
図１に示す本実施形態のセンサ装置１は、本願の請求項に係る通信機４が設けられているものである。センサ装置１は、屋外に設置された複数の測定対象物（例えば、スチームトラップ）の１つずつに固定され、該測定対象物の温度や振動を検出する、いわゆる固定タイプのセンサである。センサ装置１は、上下方向に延びる状態で測定対象物に固定される。
【００１１】
センサ装置１は、センサ本体２と、接続軸３と、上述した通信機４とを備えている。接続軸３は、中空軸であり、両端がナット５，６によってセンサ本体２と通信機４に連結されている。センサ装置１では、センサ本体２によって検出された測定対象物の温度等に関する信号が通信機４に送られる。
【００１２】
通信機４は、センサ本体２から送られた信号を処理して外部機器へ送信する無線通信機である。図２〜図４に示すように、通信機４は、通信機本体１０と、カバー２０とを備えている。
【００１３】
通信機本体１０は、上部本体１１と、該上部本体１１の下面に設けられる下部本体１２とを有し、上下方向に延びる柱状に形成されている。具体的に、上部本体１１は、上下方向に延びる多角柱状（本実施形態では六角柱状）に形成されている。下部本体１２は、やや短い円柱状に形成されており、上部本体１１と同軸に設けられている。通信機本体１０は、上部本体１１および下部本体１２とで通信機本体１０は、図示しないが、内部に通信用の回路基板やバッテリー等が収容されている。下部本体１２の下面には、上述した接続軸３と連結される連結部１３が設けられている。
【００１４】
カバー２０は、胴部２１およぶ上壁部２２を有し、通信機本体１０を上方から覆うものである。胴部２１は、上下方向に延びる円筒状に形成されており、上部本体１１の側面１１ａ，１１ｂおよび下部本体１２の側面１２ａを覆っている。上壁部２２は、胴部２１の上端を閉塞している。つまり、カバー２０は有底円筒状のキャップである。
【００１５】
通信機本体１０には、カバー２０が取り付けられる（嵌め込まれる）取付軸１６が設けられている。取付軸１６は、下部本体１２をその径方向に貫通して設けられている。取付軸１６の両端は、下部本体１２から突出している。
【００１６】
カバー２０の胴部２１には、カバー２０を通信機本体１０に取り付けるための２つの嵌め込み部２３，２４が設けられている。２つの嵌め込み部２３，２４は、胴部２１の軸周りにおける互いに１８０度ずれた位置（即ち、取付軸１６の両端の突出部分に対応する位置）に設けられている。嵌め込み部２３，２４は、胴部２１の筒状壁がＬ字状に切り欠かれてなり、本願の請求項に係る取付部を構成している。カバー２０は、嵌め込み部２３，２４を上方から取付軸１６の突出部分に挿し込んだ後回転させることで、取付軸１６が嵌め込み部２３，２４に嵌め込まれる。こうして、カバー２０は通信機本体１０に着脱自在に取り付けられる。カバー２０が取り付けられた状態では、上部本体１１の６つの角部がカバー２０の胴部２１の内面に接している。
【００１７】
また、通信機本体１０の外面には、通信機４を識別するための固有の識別記号１８が付されている。具体的に、識別記号１８は、下部本体１２の側面１２ａ（通信機本体１０の側面）に付されている。下部本体１２の側面１２ａは、カバー２０の胴部２１の下端部と対向している。そして、カバー２０の胴部２１には、外部から下部本体１２の識別記号１８を視認するための切欠き部２５，２６が設けられている。切欠き部２５，２６は、胴部２１においてその軸周りにおける互いに１８０度ずれた位置に２つ設けられている。つまり、２つの切欠き部２５，２６は互いに対向して設けられている。切欠き部２５，２６は、下端縁から切り欠かれており、周方向に延びる略矩形状に形成されている。
【００１８】
２つの切欠き部２５，２６は、カバー２０が通信機本体１０に取り付けられた状態で、一方の切欠き部２５は識別記号１８に対応する位置に形成され、他方の切欠き部２６は一方の切欠き部２５と対向する位置に形成される。本実施形態では、２つの切欠き部２５，２６は、上部本体１１における互いに対向する２つの側面１１ａ、１１ｂに対応する位置に設けられている。
【００１９】
以上のように、上記実施形態の通信機４によれば、識別記号１８を通信機本体１０に付して、カバー２０において外部から識別記号１８を視認するための切欠き部２５，２６を設けるようにした。そのため、通信機４の監視や管理を行う際に識別記号１８を容易に視認することができる。そして、上述したように識別記号１８をカバー２０ではなく通信機本体１０に設けていることから、作業者が点検やメンテナンス時にカバー２０を取り違えるという人為的ミスを排除することができる。つまり、点検等でカバー２０を着脱しても、識別記号１８がその対応する通信機４以外の通信機に付されるという事態を招く虞がなくなる。
【００２０】
また、上記実施形態の通信機４によれば、切欠き部２５，２６を胴部２１において互いに１８０度ずれた位置に２つ設けるようにしたため、カバー２０を通信機本体１０に取り付ける際に切欠き部２５，２６の位置を確認する必要がなくなる。上記実施形態では、カバー２０において２つの嵌め込み部２３，２４（取付部）を互いに１８０度ずれた位置に設けるようにしている。つまり、２つの嵌め込み部２３，２４が互いに等間隔で配置されている。そのため、安定してカバー２０を通信機本体１０に取り付けることができると共に、カバー２０の軸周りにおける取付け角度の制限を緩和することができる。ここで、仮にカバーにおいて切欠き部を１つだけ設けるようにした場合、切欠き部が識別記号の側に位置するようカバーの向きを考慮してカバーを取り付ける必要が生じる。この点、上記実施形態によれば、２つの切欠き部２５，２６が互いに１８０度ずれた位置に設けられているため、嵌め込み部２３，２４の位置だけを確認してカバー２０を取り付ければ、２つの切欠き部２５，２６の一方を必ず識別記号１８に対応して位置させることができる。つまり、切欠き部２５，２６の位置を確認せずにカバー２０を取り付けることができる。したがって、カバー２０を取付作業が簡易となる。
【００２１】
なお、上記実施形態では、識別記号１８を通信機本体１０の側面（下部本体１２の側面１２ａ）に設けるようにしたが、通信機本体１０の上面（例えば、上部本体１１の上面）に識別記号１８を付するようにしてもよい。その場合、切欠き部はカバーの上壁部に設けられる。
【００２２】
また、上記実施形態では、無線の通信機４について説明したが、本願に開示の技術は、有線の通信機であっても同様の作用効果を奏することができる。
【産業上の利用可能性】
【００２３】
本願に開示の技術は、通信機について有用である。
【符号の説明】
【００２４】
４        通信機
１０      通信機本体
１２ａ    側面
１８      識別記号
２０      カバー
２１      胴部
２３,２４      嵌め込み部（取付部）
２５,２６      切欠き部
【図１】
0006389099.tif 000002
【図２】
0006389099.tif 000003
【図３】
0006389099.tif 000004
【図４】
0006389099.tif 000005